(57)【特許請求の範囲】
【請求項１】
庫内において複数の収納部を有する棚の前面域へ調整空気を給気導風路から拡散させる状態に吹き出し供給し、かつ、前記収納部の夫々から棚背面側に配備の吸引チャンバを介して吸引ファンにより空気吸引することで、前記収納部の夫々に調整空気を通過させてそれら収納部の収納処理物を処理する農水産物処理システムであって、
前記吸引チャンバ及び前記吸引ファンを前記収納部の夫々に対して個別に配備し、
これら個別の吸引チャンバ及び吸引ファンによる吸引空気を還気導風路により合流状態で空調手段へ導いてその空調手段で調整し、この調整空気を前記給気導風路へ送出する構成にしてある農水産物処理システム。
【請求項２】
前記棚において隣合う収納部どうしを遮風壁により仕切ってある請求項１記載の農水産物処理システム。
【請求項３】
前面部から背面部へわたる通気を可能にしたコンテナに処理物を収容して、そのコンテナを前記収納部に収納する処理物収納構成にし、
そのコンテナを前記収納部に収納した状態においてコンテナ背面部と前記吸引チャンバの口縁との間の隙間を塞ぐシール手段を設けてある請求項１又は２記載の農水産物処理システム。
【請求項４】
前記吸引チャンバの口縁上辺部を前記シール手段を介して前記コンテナの背面部のうち上縁から所定寸法だけ下方の部分に当接させる形態で、コンテナ背面部のうち上縁寄り部分を除いた部分に対し前記吸引チャンバを吸引作用させる構成にしてある請求項３記載の農水産物処理システム。
【請求項５】
前面部から背面部へわたる通気を可能にしたコンテナに処理物を収容して、そのコンテナを前記収納部に収納する処理物収納構成にし、
前記収納部の前面開口部に開閉自在なカーテン状体を設けるとともに、
前記コンテナを前記収納部に収納して前記カーテン状体を閉じた状態においてコンテナ前面部に対向位置させる通気口を、前記カーテン状体に形成してある請求項１〜４のいずれか１項に記載の農水産物処理システム。
【請求項６】
処理物収容コンテナの搬入搬出部と前記棚との間を移動して、前記収納部の夫々に対する処理物収容コンテナの出し入れを自動的に行う移送機を設けてある請求項１〜５のいずれか１項に記載の農水産物処理システム。
【請求項７】
前記空調手段を、前記還気導風路により導かれる空気の除湿処理が可能な構成にしてある請求項１〜６のいずれか１項に記載の農水産物処理システム。
【発明の詳細な説明】
【０００１】
【発明の属する技術分野】
本発明は農水産物処理システムに関し、詳しくは、庫内において複数の収納部を有する棚の前面域へ調整空気を給気導風路から拡散させる状態に吹き出し供給し、かつ、前記収納部の夫々から棚背面側に配備の吸引チャンバを介して吸引ファンにより空気吸引することで、前記収納部の夫々に調整空気を通過させてそれら収納部の収納処理物を処理する農水産物処理システムに関する。
【０００２】
【従来の技術】
従来、この種の処理システムでは、複数の収納部を吸引対象とする共用の吸引チャンバを棚の背面側に配備して、これら収納部から共用吸引チャンバを介して同じく共用の吸引ファンにより空気吸引し、そして、その吸引空気（すなわち使用済の調整空気）を共用吸引ファンの送風機能により庫内へ放出していた。
【０００３】
また、庫内において給気導風路から棚の前面域へ拡散させる状態に吹き出し供給する調整空気については、庫内における機体周辺空気を吸入して、この吸入空気を調整する空調機を庫内に設け、この空調機による調整空気を給気導風路へ送出する構成にしていた。
【０００４】
【発明が解決しようとする課題】
しかし、上記の従来システムでは、共用吸引チャンバ及び共用吸引ファンを複数の収納部に対し空気吸引させることにおいて、これら収納部の通気抵抗（主に収納処理物による通気抵抗）に差があると、共用吸引ファンの吸引作用が通気抵抗の小さい収納部の方に偏って集中的に作用する状態になって、これら収納部における棚前面域からの調整空気通風量に大きな差が生じていた。
【０００５】
また、各収納部から共用吸引チャンバへ吸引した使用済の調整空気を庫内に放出するため、この使用済の調整空気が放出後の庫内拡散に伴い、棚における収納部位置によって量的に差のある状態で棚前面域の調整空気とともに各収納部へ短絡的に吸入されて、その為に各収納部における棚前面域からの吸入空気に質的な差が生じ、これらのことが原因で、棚における収納部どうしで収納処理物の処理品質にバラツキが生じる問題があった。
【０００６】
この実情に対し、本発明の主たる課題は、複数の収納部に対する空気吸引構成及び吸引空気の導風構成を合理化することで、全体として簡略なシステム構成を採りながら上記の問題を効果的に解消する点にある。
【０００７】
【課題を解決するための手段】
〔１〕請求項１記載の発明では、棚の背面側から収納部に対し空気吸引させる吸引チャンバ及び吸引ファンを棚における複数の収納部の夫々に対し個別に配備して、これら個別の吸引チャンバ及び吸引ファンにより収納部毎に独立に空気吸引するから、これら収納部の通気抵抗（主に収納処理物による通気抵抗）に多少の差があったとしても、その抵抗差が原因で吸引ファンの吸引作用が通気抵抗の小さい収納部の方に偏って集中作用する状態になって各収納部における棚前面域からの調整空気通風量に大きな差が生じることを効果的に抑止できる。
【０００８】
また、これら個別の吸引チャンバ及び吸引ファンによる吸引空気を還気導風路により合流状態で空調手段へ導いてその空調手段で調整し、この調整空気を給気導風路へ送出するから、吸引チャンバ及び吸引ファンによる吸引空気（すなわち使用済の調整空気）が庫内拡散により棚における収納部位置によって量的に差のある状態で各収納部に短絡的に吸入されて各収納部の吸入空気に質的な差が生じることを、上記還気導風路による導風をもって確実に防止でき、これらのことから、従来システムに比べ、棚における収納部どうしで収納処理物の処理品質にバラツキが生じることを効果的に防止できて、システムの処理物に対する均一処理性を大きく向上できる。
【０００９】
しかも、システムの基本構成として、空調手段で調整した空気を給気導風路から棚の前面域へ拡散させる状態に吹き出し供給して、その調整空気を棚前面域から棚の各収納部に吸入させる形式を採るから、棚の各収納部に対し調整空気供給ダクトを個別に直接接続する形式に比べ、風路構成面でシステム構成を簡略にすることができて、システムコストを安価にすることができる。
【００１０】
〔２〕請求項２記載の発明では、棚において隣合う収納部どうしを遮風壁により仕切るから、前記の如く各収納部に対し棚背面側から個別に吸引チャンバ及び吸引ファンを空気吸引作用させることにおいて、隣合う収納部どうしの通気抵抗差の為にこれら収納部内で一方の収納部から隣の収納部の側へ通過調整空気が移流する状態になって、それが原因で収納部どうしで収納処理物の処理品質に差が生じる、また、同一収納部内の収納処理物に処理品質の差が生じるといったことを効果的に防止でき、これにより、システムの処理物に対する均一処理性を一層効果的に向上できる。
【００１１】
〔３〕請求項３記載の発明では、前面部から背面部へわたる通気を可能にしたコンテナに処理物を収容して、そのコンテナを棚の収納部に収納する処理物収納構成に対し、そのコンテナを収納部に収納した状態においてコンテナ背面部と前記吸引チャンバの口縁との間の隙間を塞ぐシール手段を設けるから、棚前面域から収納部に吸入した調整空気が収納コンテナの周囲を迂回する状態でコンテナ背面部と吸引チャンバの口縁との間の隙間から吸引チャンバに吸引されることを上記シール手段により防止して、収納コンテナの内部に対し棚前面域からの吸入調整空気をより確実に通過させることができ、これにより、同一収納部内の収納処理物に処理品質の差が生じることを効果的に防止できて均一処理性を一層向上できるとともに、収納処理物の処理効率を高めて処理時間を短縮することができ、また、この処理時間の短縮によりシステムの単位期間当たりの処理能力を大巾に向上できる。
【００１２】
〔４〕請求項４記載の発明では、吸引チャンバの口縁上辺部を前記シール手段を介して、コンテナの背面部のうち上縁から所定寸法だけ下方の部分に当接させる形態で、コンテナ背面部のうち上縁寄り部分を除いた部分に対し吸引チャンバを吸引作用させるから、コンテナにおける処理物の収容量が少なくてコンテナ内部で収容処理物の上方に空きスペースが生じるような場合でも、この空きスペースを介して調整空気が短絡的に吸引チャンバに吸引されることを防止でき、これにより、処理物の効率的かつ均一な処理を一層効果的に達成できる。
【００１３】
〔５〕請求項５記載の発明では、前面部から背面部へわたる通気を可能にしたコンテナに処理物を収容して、そのコンテナを棚の収納部に収納する処理物収納構成に対し、収納部の前面開口部に開閉自在なカーテン状体を設けるとともに、コンテナを収納部に収納してカーテン状体を閉じた状態においてコンテナ前面部に対向位置させる通気口をカーテン状体に形成するから、カーテン状体を閉じた状態で棚前面域の調整空気を収納コンテナの前面部に集中させるように上記通気口から収納部内に吸入する形態にして、収納コンテナの内部に対するコンテナ前面側からの調整空気通過をより確実にすることができ、これにより、同一収納部内の収納処理物に処理品質の差が生じることを効果的に防止できて均一処理性を一層向上できるとともに、収納処理物の処理効率を高めて処理時間を短縮でき、また、この処理時間の短縮によりシステムの単位期間当たりの処理能力を大巾に向上できる。
【００１４】
また、棚前面域へ供給した調整空気を上記の如くカーテン状体に形成の通気口を介し各収納部に吸入させるようにして、閉じたカーテン状体により各収納部への調整空気吸入に適度な抵抗を与えることで、各収納部に対する吸引チャンバ及び吸引ファンの個別配備と相まって、各収納部への調整空気吸入を一層効果的に均等化することができ、これにより、処理物に対する均一処理性をさらに高めることができる。
【００１５】
〔６〕請求項６記載の発明では、処理物収容コンテナの搬入搬出部と棚との間を移動して、収納部の夫々に対する処理物収容コンテナの出し入れを自動的に行う移送機を設けるから、この移送機をもって棚の収納部の夫々に対するコンテナの出し入れを容易にかつ能率的に行うことができ、また、この能率化によりシステムの単位期間当たりの処理能力を高めることができる。
【００１６】
なお、処理物収容コンテナの搬入部と搬出部とは、互いに近接させて配置する形態、あるいは、互いに離間させて配置する形態、あるいはまた、搬入部と搬出部とを一つの搬入搬出兼用部で兼ねる形態のいずれの形態を採ってもよい。
【００１７】
〔７〕請求項７記載の発明では、前記空調手段を還気導風路により導かれる空気の除湿処理が可能な構成にするから、この空調手段で除湿した空気を棚の各収納部に通過させて収納処理物の乾燥処理を効率良く行うことができ、そして、この乾燥処理において、前記の如く高い均一処理性を発揮できることで処理物を均一に乾燥処理することができる。
【００１８】
【発明の実施の形態】
図１〜図３は乾燥処理システムを示し、１は処理庫、２は前面どうしを対向させて処理庫１の庫内に配備した２基の処理棚、３は同じく前面どうしを対向させて処理庫１の庫外に配備した２基の待機棚であり、これら処理棚２及び待機棚３は夫々、棚前面視で行列配置の複数の収納部２ａ，３ａを備えている。
【００１９】
４Ａ，４Ｂは処理物Ｗ（例えば玉葱など）を収容したコンテナ５の搬入部及び搬出部、６はその搬入搬出部４Ａ，４Ｂと処理庫１内の処理棚２との間を移動して処理棚２の各収納部２ａに対する処理物収容コンテナ５の出し入れを自動的に行う移送機であり、処理棚２と待機棚３とは、処理庫１の出入口１ａを通る移送機６の一連の移動経路を前面対向する棚２，３どうしの間に直線的に形成するように棚巾方向に並べて配置し、これにより、移送機６によるコンテナ移送を能率化する。
【００２０】
処理物収容コンテナ５の出し入れ作業については、具体的には、処理棚２においてコンテナ収容処理物Ｗの処理を行っている間に、移送機６を待機棚３と搬入搬出部４Ａ，４Ｂとの間で往復させて、処理棚２での先の処理の後に待機棚３の各収納部３ａに預けてある処理済コンテナ５を順次、移送機６により搬出部４Ｂへ取り出すとともに、その順次取り出しにおける搬出部４Ｂから待機棚３への移送機戻り移動の都度、搬入部４Ａに搬入された未処理のコンテナ５を移送機６により待機棚３へ運んで待機棚３の空き収納部３ａに預ける入出荷作業を自動的に実施する。
【００２１】
そして、処理棚２でのコンテナ収容処理物Ｗの処理が完了すると、移送機６を処理棚２と待機棚３との間で往復させて、処理棚２の各収納部２ａにおける処理済コンテナ５を順次、移送機６により待機棚３へ運んで待機棚３の空き収納部３ａに預けるとともに、その順次運搬における待機棚３から処理棚２への移送機戻り移動の都度、先に待機棚３に預けてある未処理のコンテナ５を移送機６により処理棚２へ運んで処理棚２の空き収納部２ａに収納する入出庫作業を自動的に実施し、これら入出荷作業と入出庫作業を交互に繰り返し実施する。
【００２２】
処理棚２でのコンテナ収容処理物Ｗの処理については、棚巾方向に並べて形成した複数の吹出口７ａから処理棚２どうしの間の移送機経路へ向けて調整空気ＳＡを吹き出すことで、各処理棚２の前面域（本例では処理棚２どうしの間の移送機移動空間）へ調整空気ＳＡを拡散させる状態に供給する給気導風路としての給気ダクト７を各処理棚２の下に配設し、また、各処理棚２の収納部２ａから棚背面側に配備の吸引チャンバ８を介して吸引ファン９により空気吸引する構成として、これら吸引チャンバ８及び吸引ファン９を各処理棚２における収納部２ａの夫々に対して個別に配備し、これにより、個別吸引ファン９の吸引作用により各処理棚２の収納部２ａに棚前面域から調整空気ＳＡを吸入させて各収納部２ａに調整空気ＳＡを強制通過させることで、これら収納部２ａにおける収納処理物Ｗ（すなわち収納コンテナ５の収容処理物）を処理する。
【００２３】
処理庫１の庫内において各処理棚２の背面側には、対応処理棚２の各収納部２ａから個別の吸引チャンバ８及び吸引ファン９により吸引した空気ＲＡを受け入れて合流させる還気導風路としての還気室１０と、さらにその外側に配置して還気室１０から連通口１１，１２を介し空気流入させる機械室１３とを間仕切１４，１５により仕切形成し、各機械室１３には空調手段として機械室１３の室内気を除湿処理する除湿機１６，１７を配備してある。
【００２４】
また、処理庫１の庫外には、外気を加熱してその加熱外気ＯＡを温風ダクト１８により各機械室１３へ各別に供給する空気加熱手段としての２基の燃焼式温風機１９を配備してあり、この空調構成において、各機械室１３の室内気を処理用調整空気ＳＡとして各機械室１３の一端部から給気ファン２０により各給気ダクト７へ各別に送出することで、処理棚２の各収納部２ａにおける収納処理物Ｗを前記の如き処理形態をもって乾燥処理する。
【００２５】
すなわち、基本的には、処理棚２の各収納部２ａから個別の吸引チャンバ８及び吸引ファン９により吸引した空気ＲＡ（すなわち使用済の調整空気）を還気導風路としての還気室１０を介し合流状態で機械室１３へ導いて、空調手段としての除湿機１６，１７により調整し、この調整空気ＳＡを給気導風路としての給気ダクト７へ送出する構成にしてある。
【００２６】
そして、この処理システムでは、個別の吸引チャンバ８及び吸引ファン９による吸引空気ＲＡを還気導風路としての還気室１０を介し合流状態で機械室１３へ導くのに対し、この機械室１３を、空調手段としての除湿機１６，１７へ還気室１０からの導入空気ＲＡを導く導風路１３Ａと、それら除湿機１６，１７に対し還気室１０からの導入空気ＲＡの一部をバイパスさせるバイパス路１３Ｂとに兼用し、かつ、空気加熱手段としての燃焼式温風機１９から供給される加熱外気ＯＡの混合室に兼用する形態で、除湿機１６，１７により除湿処理した空気とバイパス風路１３Ｂによるバイパス空気と燃焼式温風機１９による加熱外気ＯＡとの混合気を、処理用調整空気ＳＡとして給気導風路としての給気ダクト７へ送出する構成にしてある。
【００２７】
除湿機については、室外機不要の一体型除湿機１６、及び、庫外に配置した室外機１７ａとの冷媒配管接続が必要なセパレート型除湿機１７の２種を機械室１３に配備してあり、一体型除湿機１６では、機体周辺から機内に取り入れた空気を冷媒蒸発コイルにより冷却除湿し、これに続き、その冷却除湿空気を冷媒凝縮コイルにより再熱して機外へ送出する。一方、セパレート型除湿機１７では、機体周辺から機内（室内機）に取り入れた空気を冷媒蒸発コイルにより冷却除湿し、これに続き、その冷却除湿空気を冷媒凝縮コイルにより再熱して機外へ送出することにおいて、室外機１７ａの冷媒凝縮コイルによる庫外へ放熱量を調整することで再熱量の調整が可能になっている。
【００２８】
還気室１０から機械室１３への空気流入について、それら還気室１０と機械室１３との間の間仕切１４には、床近傍箇所に形成の下部連通口１１と天井近傍箇所に形成の上部連通口１２とを設けてあり、そして、下部連通口１１には、その下部連通口１１における通過空気ＲＡを浄化する空気浄化手段としてオートロール式の除塵フィルタ２１を配備し、また、上部連通口１２には、吸引ファン９及び給気ファン２０とともに空気循環用ファンとして機能させる連通口ファン２２を配備してある。
【００２９】
つまり、この連通口構成により、空気浄化手段としてのオートロール式除塵フィルタ２１の必要処理風量を軽減しながらも、還気室１０での塵埃降下を利用して機械室１３への流入空気ＲＡに対する除塵処理を効率良く行い、かつ、上下の連通口１１，１２をもって機械室１３への流入風量（すなわち機械室１３と棚２との間での循環風量）を大きく確保する。
【００３０】
また、各還気室１０の受け入れ空気ＲＡの一部は、庫内換気を兼ねて、排塵用導風路としての排気ダクト２３を通じ排気ファン２４により処理庫１の庫外へ排出するようにし、この排気と前記除塵フィルタ２１による除塵とをもって、収納処理物Ｗからの発塵に対し処理庫１の庫内塵埃濃度を許容レベルに保つ。
【００３１】
処理物Ｗを集積状態で収容するコンテナ５は、調整空気ＳＡを内部通過させるように前面と背面と両横面の４面（場合によっては底面を含む５面）を網状体で形成した通気構造にしてあり、一方、各処理棚２においては、図４及び図５に示す如く、棚前面域から収納部２ａに吸入した調整空気ＳＡが隣の収納部２ａへ移流することを防止する為に、上下左右に隣合う収納部２ａどうしを遮風壁２５，２６により仕切ってある。
【００３２】
また、吸入調整空気ＳＡが収納コンテナ５の周囲を迂回する状態でコンテナ背面部と吸引チャンバ８の口縁との間の隙間から吸引チャンバ８に吸引されることを防止する為に、コンテナ５を収納部２ａに収納した状態で上記隙間を塞ぐシール手段として、コンテナ５の収納に伴いコンテナ５の背面部を当接させてコンテナ背面部と吸引チャンバ８の口縁との間を弾性により気密にするゴム製などの弾性パッキン２７を吸引チャンバ８の口縁部に貼設してある。
【００３３】
さらにまた、各収納棚２の前面には、各収納部２ａの前面開口部を閉じる開閉自在なカーテン状体２８を設け、そして、このカーテン状体２８には、コンテナ５を各収納部２ａに収納してカーテン状体２８を閉じた状態において各コンテナ５の前面部に対向位置させる多孔構造の通気口２９を形成し、これにより、カーテン状体２８を閉じた状態において棚前面域の調整空気ＳＡを各収納コンテナ５の前面部に集中させるように上記通気口２９から各収納部２ａへ吸入する。
【００３４】
つまり、調整空気ＳＡの強制通風により高い処理効率を確保しながらも、これら遮風壁２５，２６、弾性パッキン２７、通気口形成カーテン状体２８の機能により、各収納部２ａに対する吸引チャンバ８及び吸引ファン９の個別配備と相まって、また、還気室１０による導風で使用済調整空気ＲＡの庫内拡散を阻止することと相まって、処理棚１における収納処理物Ｗを均一に処理できるようにしてある。
【００３５】
カーテン状体２８については、図６に示す如く、その閉じ状態において棚前面部の全面にわたらせる主体シート材２８ａ（通気口２９を形成したシート材）に上下適当間隔で横向き芯材３０を取り付け、そして、開閉操作用の索具３１を各芯材３０に付設の案内環３２に通して最下端の芯材３０に連結した構造にし、この索具３１を処理棚上部の動力巻取機３３により上方へ巻き取ることで、図６（ロ）に示す如く、カーテン状体２８を芯材間が折目部となる折り畳み状態に開いて、その折り畳み状態で処理棚２の上端部に格納し、この開き状態において処理棚２の各収納部２ａに対する処理物収容コンテン５の出し入れ作業を行うようにしてある。
【００３６】
また、各吸引チャンバ８及び吸引ファン９による吸引空気ＲＡは、各吸引ファン９の吐出側に接続のエルボダクト３４により下向きで還気室１０の室内へ吐出させ、これにより、吐出風による間仕切１４のバタツキを防止するとともに、吐出風に含まれる塵埃の舞い上がり抑制する。
【００３７】
〔別の実施形態〕
次に別の実施形態を列記する。
【００３８】
棚前面域へ調整空気ＳＡを拡散させる状態に吹き出し供給する給気導風路は、前述の実施形態の如きダクト構造（給気ダクト７）に代えてチャンバ構造にしてもよく、また、対応する棚２の下部に配置するに代え、対応棚２の側部や上部あるいは対応棚２の上下中間部や対応棚２の前面対向箇所に配置するなどしてもよい。さらにまた、調整空気ＳＡを吹き出す吹出口７ａの口数や形状・構造も種々の構成変更が可能である。
【００３９】
各吸引チャンバ８及び吸引ファン９による吸引空気ＲＡを合流状態で空調手段に導く還気導風路は、前述の実施形態の如き仕切室構造（還気室１０）に代えダクト構造やボックスチャンバ構造にしてもよい。
【００４０】
コンテナ収納状態においてコンテナ背面部と吸引チャンバ８の口縁との間を塞ぐシール手段は、前述実施形態の如き弾性パッキン２７に代え、例えば、図７に示すように、吸引チャンバ８の開口部に取り付けた伸縮自在なシール用継手ダクト３５をシリンダの如き適当な駆動手段３６により伸長操作して、そのシール用継手ダクト３５のパッキン付き口縁部を収納コンテナ５の背面部に押し付ける構造にしてもよい。
【００４１】
また、同シール手段として、図８に示すように、吸引チャンバ８の口縁に取り付けたシール用バッグ３７を注入ファン３８による空気注入で膨らませることにより、そのシール用バッグ３７を収納コンテナ５の背面部に押し付ける構造にしてもよい。
【００４２】
吸引チャンバ８を収納コンテナ５の背面部のほぼ全面に対して吸引機能させるに代え、図９に示すように、吸引チャンバ８の口縁上辺部を弾性パッキン２７などのシール手段を介して、コンテナ背面部のうち上縁から所定寸法だけ下方の部分に当接させる形態で、コンテナ背面部のうち上縁寄り部分を除いた部分に対し吸引チャンバ８を吸引作用させるようにし、これにより、コンテナ５における処理物Ｗの収容量が少なくてコンテナ内部で収容処理物Ｗの上方に空きスペースが生じるような場合でも、この空きスペースを介して調整空気ＳＡが短絡的に吸引チャンバ８に吸引されることを防止して、処理物Ｗの効率的かつ均一な処理を維持できるようにしてもよい。
【００４３】
個別の吸引チャンバ８及び吸引ファン９により処理棚２の各収納部２ａにおける収納コンテナ５（処理物Ｗを収容したコンテナ）の内部にコンテナ前面側から調整空気ＳＡを強制通過させるのに、これらコンテナ５における収容処理物群の上面部をシート材や板材などからなる落とし蓋的な遮風手段で覆い、これにより、コンテナ内部へのコンテナ前面部からの調整空気吸入を一層的確にして処理の一層の効率化・均一化を図ってもよい。
【００４４】
収納部２ａの前面開口部に設ける開閉自在なカーテン状体２８は、閉じ状態において棚前面部の全面にわたらせる一枚構造に代え、収納部２ａの上下列毎に分割した構造や収納部２ａ毎に分割した構造にしてもよく、また、前述の実施形態の如く上方への引き上げにより開く構造に代え、横方向へ移動させて開く構造にしてもよい。
【００４５】
さらにまた、カーテン状体２８を閉じた状態において収納コンテナ５の前面部に対向位置させるようにカテーン状体２８に形成しておく通気口２９は、網構造などの多孔構造に限らず、一つの単純開口や数個の単純開口にしてもよく、また、コンテナ前面部の全面に対して対向させるに代え、コンテナ前面部の一部（例えば中央部）に対して対向させる開口形状にしてもよい。
【００４６】
処理物Ｗは玉葱や馬鈴薯、あるいは果実、あるいはまた海草類や魚介類など、どのような農水産物であってもよく、また、処理物Ｗの処理内容も乾燥に限定されるものではなく、冷却や加熱あるいは加湿、あるいはまた、それらの組み合わせであってもよい。そして、還気導風路により合流状態で導かれる吸引空気ＲＡを調整する空調手段は、除湿機に限らず、空気冷却機や空気加熱機あるいは加湿機、あるいはまた、それらの組み合わせ等、処理物Ｗの処理内容に応じて選定すればよい。
【００４７】
その他、各請求項に記載の発明の実施にあたっては、各請求項に記載の範囲内において、構造面及び方式面で種々の構成変更が可能である。
【図面の簡単な説明】
【図１】平面図
【図２】側面図
【図３】正面図
【図４】収納部の側面図
【図５】収納部の正面図
【図６】カーテン状体の開閉構造を示す棚側面図
【図７】別実施形態を示す収納部の側面図
【図８】他の別実施形態を示す収納部の側面図
【図９】他の別実施形態を示す収納部の側面図
【符号の説明】
２                    棚
２ａ                  収納部
４Ａ，４Ｂ            搬入搬出部
５                    コンテナ
６                    移送機
７                    給気導風路
８                    吸引チャンバ
９                    吸引ファン
１０                  還気導風路
１６，１７            空調手段
２５，２６            遮風壁
２７                  シール手段
２８                  カーテン状体
２９                  通気口
ＳＡ                  調整空気
ＲＡ                  吸引空気
Ｗ                    処理物
【図１】
0003555673.tif 000002
【図２】
0003555673.tif 000003
【図３】
0003555673.tif 000004
【図４】
0003555673.tif 000005
【図５】
0003555673.tif 000006
【図６】
0003555673.tif 000007
【図７】
0003555673.tif 000008
【図８】
0003555673.tif 000009
【図９】
0003555673.tif 000010